(57)【要約】【課題】情報提供システム、及び、情報提供方法、地図情報提供装置、並びに、情報提供プログラムに関し、、情報提供サーバに登録された登録情報と登録情報に挿入された地図情報とを相互にリンクすることにより高度の情報提供を可能とした情報提供システム、及び、情報提供方法、地図情報提供装置、並びに、情報提供プログラムを提供することを目的とする。【解決手段】本発明は、情報提供システムにおいてクライアントにより地図情報配信サーバにより提供されている電子地図情報が参照可能となるように情報を作成して、情報提供サーバに登録し、地図情報配信サーバにより情報提供サーバに登録された情報が参照されたときに、情報提供サーバから情報を収集し、電子地図情報から情報提供サーバに登録された情報参照可能としたことを特徴とする。【選択図】図１
2007164537.tif 000002
【特許請求の範囲】
【請求項１】
クライアントと、該クライアントとネットワークを介して通信可能とされ、該クライアントからの情報を登録可能とするとともに、登録情報を該クライアントに提供する情報提供サーバと、該クライアントとネットワークを介して通信可能とされ、該クライアントに電子地図情報を提供する地図情報配信サーバとを有する情報提供システムであって、
前記クライアントは、前記地図情報配信サーバにより提供されている前記電子地図情報が参照可能となるように情報を作成して、前記情報提供サーバに登録し、
前記地図情報配信サーバは、前記情報提供サーバに登録された情報が参照されたときに、前記情報提供サーバから情報を収集し、前記電子地図情報から前記情報提供サーバに登録された情報参照可能としたことを特徴とする情報提供システム。
【請求項２】
前記地図情報配信サーバは、前記電子地図情報を提供する際に前記クライアントから指定される位置情報を取得し、
前記情報提供サーバに登録された情報から前記電子地図情報が参照されたときに、前記情報提供サーバから登録された情報を関する情報を取得し、
前記位置情報と前記情報提供サーバに登録された情報とをマッチングすることを特徴とする請求項１記載の情報提供システム。
【請求項３】
前記地図情報配信サーバは、前記情報提供サーバに登録された情報に基づいて前記電子地図情報が参照されたときに、前記情報提供サーバにＲＳＳ情報を要求することを特徴とする請求項２記載の情報提供システム。
【請求項４】
前記地図情報配信サーバにより取得した前記位置情報及び前記情報提供サーバから登録された情報を関する情報を格納するデータベースを有することを特徴とする請求項２記載の情報提供システム。
【請求項５】
クライアントと、該クライアントとネットワークを介して通信可能とされ、該クライアントからの情報を登録可能とするとともに、登録情報を該クライアントに提供する情報提供サーバと通信可能とされ、電子地図情報を提供する地図情報配信サーバであって、
前記情報提供サーバに登録された情報が参照されたときに、前記情報提供サーバから情報を収集し、前記情報提供サーバに登録する情報に関する情報を取得する情報取得手段と、
前記情報取得手段により取得した情報に基づいて前記電子地図情報から前記情報提供サーバに登録された情報を参照可能に制御する制御手段とを有することを特徴とする電子地図情報配信サーバ。
【請求項６】
前記情報取得手段は、前記クライアントに前記電子地図情報を提供する際に前記クライアントから指定される位置情報を取得し、
前記情報提供サーバに登録された情報から前記電子地図情報が参照されたときに、前記情報提供サーバから登録された情報を関する情報を取得し、
前記位置情報と前記情報提供サーバに登録された情報とをマッチングさせて記憶しておくことを特徴とする請求項５記載の地図情報配信サーバ。
【請求項７】
前記情報取得手段は、前記情報提供サーバに登録された情報に基づいて前記電子地図情報が参照されたときに、前記情報提供サーバにＲＳＳ情報を要求することを特徴とする請求項６記載の地図情報配信サーバ。
【請求項８】
クライアントと、該クライアントとネットワークを介して通信可能とされ、該クライアントからの情報を登録可能とするとともに、登録情報を該クライアントに提供する情報提供サーバと、該クライアントとネットワークを介して通信可能とされ、該クライアントに電子地図情報を提供する地図情報配信サーバとを有し、前記情報及び前記電子地図情報を前記クライアントに提供する情報提供方法であって、
前記情報提供サーバに登録された情報が参照されたときに、前記情報提供サーバに登録された情報に関する情報を取得し、
前記電子地図情報を配信するときに、取得した情報に基づいて配信する電子地図情報から前記情報提供サーバに登録された情報を参照可能としたことを特徴とする情報提供方法。
【請求項９】
前記クライアントが前記情報提供サーバに登録する情報を作成するときに、前記電子地図情報を提供する際に前記クライアントから指定される位置情報を取得し、
前記情報提供サーバに登録された情報から前記電子地図情報が参照されたときに、前記情報提供サーバから登録された情報を関する情報を取得し、
前記位置情報と前記情報提供サーバに登録された情報とをマッチングすることを特徴とする請求項８記載の情報提供方法。
【請求項１０】
前記情報提供サーバに登録された情報に基づいて前記電子地図情報が参照されたときに、前記情報提供サーバにＲＳＳ情報を要求することを特徴とする請求項９記載の情報提供方法。
【請求項１１】
コンピュータに、
クライアントが情報提供サーバに登録する情報を作成するときに、前記クライアントから電子地図情報上の位置情報を取得する第１の情報取得手順と、
前記情報提供サーバに登録された情報から電子地図情報が参照されたときに、前記情報提供サーバに登録された情報に関する情報を取得し、前記位置情報と前記情報提供サーバに登録された情報とをマッチングする第２の情報取得手順と、
前記電子地図情報を配信するときに、取得した情報に基づいて配信する電子地図情報から前記情報提供サーバに登録された情報を参照可能に制御する制御手順とを実行させるコンピュータに読み取り可能なプログラム。
【請求項１２】
前記第２の情報取得手順は、前記情報提供サーバに登録された情報に基づいて前記電子地図情報が参照されたときに、前記情報提供サーバにＲＳＳ情報を要求することにより、前記情報提供サーバに登録された情報に関する情報を取得することを特徴とする請求項１１記載のプログラム。
【発明の詳細な説明】
【技術分野】
【０００１】
本発明は情報提供システム、及び、地図情報配信サーバ、情報提供方法、並びに、プログラムに係り、特に、クライアントと、クライアントとネットワークを介して通信可能とされ、クライアントにより情報を登録可能とされた情報提供サーバと、クライアントとネットワークを介して通信可能とされ、クライアントとに電子地図情報を提供する地図情報配信サーバとを有する情報提供システム、及び、地図情報配信サーバ、情報提供方法、並びに、プログラムに関する。
【背景技術】
【０００２】
近年、インターネットの普及に伴って、個人的な体験や日記、話題をウェブサイトに開示するブログ（ウェブログ、Weblog）と呼ばれるウェブサイトが増加している。
【０００３】
ブログには、写真画像を主体としたフォトログ、ビデオコンテンツを主体としたビデオブログなどがある。通常ブログにはテキストやイメージが添付されている。また、ブログを構成する各項目は通常、時系列的に配置されている。ブログの内容を充実させるためにブログに地図情報を付加する要求もある。
【０００４】
このとき、ブログに付加される地図情報は、地図情報提供サイトから配信されている（特許文献１参照）。
【特許文献１】特開２００１−０７６００３号公報
【発明の開示】
【発明が解決しようとする課題】
【０００５】
しかるに、従来の地図情報が挿入されたブログと地図情報提供サイトとは相互にリンクされてはおらず、これらのサイトを相互にリンク可能とすることが望まれている。
【０００６】
本発明は上記の点に鑑みてなされたもので、情報提供サーバに登録された登録情報と登録情報に挿入された地図情報とを相互にリンクすることにより高度の情報提供を可能とした情報提供システム、及び、地図情報配信サーバ、情報提供方法、並びに、プログラムを提供することを目的とする。
【課題を解決するための手段】
【０００７】
本発明は、クライアントと、クライアントとネットワークを介して通信可能とされ、クライアントからの情報を登録可能とするとともに、登録情報を該クライアントに提供する情報提供サーバと、クライアントとネットワークを介して通信可能とされ、クライアントに電子地図情報を提供する地図情報配信サーバとを有する情報提供システムであって、クライアントは、地図情報配信サーバにより提供されている電子地図情報が参照可能となるように情報を作成して、情報提供サーバに登録し、地図情報配信サーバは情報提供サーバに登録された情報が参照されたときに、情報提供サーバから情報を収集し、電子地図情報から情報提供サーバに登録された情報参照可能としたことを特徴とする。
【０００８】
また、このとき、地図情報配信サーバは、電子地図情報を提供する際にクライアントから指定される位置情報を取得し、情報提供サーバに登録された情報から電子地図情報が参照されたときに情報提供サーバから登録された情報を関する情報を取得し、位置情報と情報提供サーバに登録された情報とをマッチングすることを特徴とする。
【０００９】
さらに、地図情報配信サーバは、情報提供サーバに登録された情報に基づいて電子地図情報が参照されたときに情報提供サーバにＲＳＳ情報を要求することを特徴とする。
【００１０】
また、地図情報配信サーバにより取得した位置情報及び情報提供サーバから登録された情報を関する情報を格納するデータベースを有することを特徴とする。
【発明の効果】
【００１１】
本発明によれば、クライアントは、地図情報配信サーバにより提供されている電子地図情報が参照可能となるように情報を作成して、情報提供サーバに登録し、地図情報配信サーバは情報提供サーバに登録された情報が参照されたときに、情報提供サーバから情報を収集し、電子地図情報から情報提供サーバに登録された情報を参照可能とすることにより、例えば、ブログなどに地図情報を提供した場合であっても、クライアントに特別な操作を行なうことなく、地図情報配信サーバから配信される電子地図情報からクライアントにより情報提供サーバに登録した情報と参照することが可能となる。これによって、クライアントに負担をかけることなく、クライアントが情報提供サーバに登録した情報を電子地図情報に反映させることが可能となる。
【発明を実施するための最良の形態】
【００１２】
〔システム構成〕
図１は本発明の一実施例のシステム構成図を示す。
【００１３】
本実施例の情報提供システム１００は、ブログ登録ユーザ端末１１１、ブログサイトサーバ１１２、地図配信サーバ１１３、位置情報登録データベース部１１４、ブログ閲覧ユーザ端末１１５などがネットワーク１１６を介して通信可能な構成とされている。
【００１４】
ブログ登録ユーザ端末１１１は、例えば、パーソナルコンピュータ、ＰＤＡ、携帯電話機などから構成されており、ブログサイトサーバ１１２と通信を行ってブログを作成、登録する。ブログサイトサーバ１１２は、コンピュータシステムから構成されており、ネットワーク１１６を介してブログ閲覧ユーザ端末１１５と通信を行って、ブログ登録ユーザ端末１１１により登録されたブログを閲覧可能とされている。
【００１５】
地図配信サーバ１１３は、コンピュータシステムから構成されており、ネットワーク１１６を介してブログ登録ユーザ端末１１１と通信を行って、ブログ登録ユーザ端末１１１からの要求に応じた地図情報を提供するとともに、ブログ登録ユーザ端末１１１によりブログサイトサーバ１１２に地図情報とともに登録されたブログへのリンク情報を取得し、位置情報登録データベース部１１４に登録する。地図配信サーバ１１３は、位置情報登録データベース部１１４に登録されたリンク情報を地図情報に付加してブログ閲覧ユーザ端末１１５などの他の端末に提供する。
【００１６】
位置情報登録データベース部１１４は、地図配信サーバ１１３で取得されたブログ登録ユーザ端末１１１によりブログサイトサーバ１１２に地図情報とともに登録されたブログへのリンク情報が格納されている。位置情報登録データベース部１１４は、地図配信サーバ１１３からの要求に応じてリンク情報を読み出し、地図配信サーバ１１３に提供する。
【００１７】
ブログ閲覧ユーザ端末１１５は、例えば、パーソナルコンピュータ、ＰＤＡ、携帯電話機などから構成されており、ブログサイトサーバ１１２と通信を行ってブログを閲覧するとともに、地図配信サーバ１１３と通信を行ってブログへのリンク情報が付与された地図情報を閲覧可能とされている。
【００１８】
ネットワーク１１６は、インターネットを含む通信回線から構成されており、ブログ登録ユーザ端末１１１、ブログサイトサーバ１１２、地図配信サーバ１１３、位置情報登録データベース部１１４、ブログ閲覧ユーザ端末１１５などが相互に通信可能な構成とされている。
【００１９】
〔ブログ登録ユーザ端末１１１〕
図２はブログ登録ユーザ端末１１１のブロック構成図を示す。
【００２０】
ブログ登録ユーザ端末１１１は、通信部１１１、処理部２１２、記憶部２１３、入力装置２１４、表示装置２１５から構成されている。
【００２１】
通信部１１１は、ネットワーク１１６との通信制御を行なう。処理部２１２は、ＣＰＵ、メモリなどを含み、記憶部２１３にインストールされたブログ登録プログラムに基づいてブログサイトサーバ１１２と通信を行い、ブログを作成し、登録する処理を実行する。記憶部２１３は、ハードディスクドライブなどから構成されており、ブログ登録プログラムなどがインストールされている。
【００２２】
〔ブログサイトサーバ１１２〕
図３はブログサイトサーバ１１２のブロック構成図を示す。
【００２３】
ブログサイトサーバ１１２は、通信部２２１、処理部２２２、記憶部２２３から構成されている。
ブログ作成プログラム２２３、ブログデータベース２２４から構成されている。
【００２４】
通信部２２１は、ネットワーク１１６との通信制御を行なう。処理部２２２は、ＣＰＵ、メモリなどを含み、記憶部２２３に記憶されたブログ作成プログラム２３４に基づいて処理を実行する。記憶部２２３は、ハードディスクドライブなどから構成されており、ブログ作成プログラム２３４、ブログデータベース２２５などが記憶されている。
【００２５】
ブログ作成プログラム２３４は、ネットワーク１１６を介してブログ登録ユーザ端末１１１と通信を行い、ブログの作成し、ブログデータベース２２５に登録するためのプログラムである。
【００２６】
〔地図配信サーバ１１３〕
図４は地図配信サーバ１１３のブロック図を示す。
【００２７】
地図配信サーバ１１３は、通信部２３１、処理部２３２、記憶部２３３から構成されている。
【００２８】
通信部２３１は、ネットワーク１１６との通信制御を行なう。処理部２３２は、ＣＰＵ、メモリなどを含み、記憶部２３３にインストールされた地図配信プログラム２３４に基づいて処理を実行する。記憶部２３３は、ハードディスクドライブなどから構成されており、地図配信プログラム２３４及び地図データベース２３５がインストールされている。
【００２９】
地図配信プログラム２３４は、ブログ登録ユーザ端末１１１、ブログサイトサーバ１１２、位置情報登録データベース部１１４、ブログ閲覧ユーザ端末１１５などと通信を行って地図情報の配信を行なう。このとき、地図配信プログラム２３４は、地図配信時にブログのポイント位置、ＵＲＬ情報など情報をブログ登録ユーザに意識させることなく自動的に収集し、位置情報登録データベース部１１４に登録する。また、地図データベース２３５には、地図情報が格納されている。
【００３０】
〔位置情報登録データベース部１１４〕
図５は位置情報登録データベース部１１４のブロック構成図を示す。
【００３１】
位置情報登録データベース部１１４は、通信部２４１、処理部２４２、記憶部２４３から構成されている。
【００３２】
通信部２４１は、ネットワーク１１６との通信制御を行なう。処理部２４２は、ＣＰＵ、メモリなどを含み、記憶部２４３にインストールされたデータ登録プログラム２４４に基づいて処理を実行する。記憶部２４３は、ハードディスクドライブなどから構成されており、データ登録プログラム２４４及びデータベース２４５がインストールされている。
【００３３】
データ登録プログラム２４４は、ブログ登録ユーザ端末１１１で作成されたブログに提供した地図情報と作成されたブログとをリンクする情報をデータベース２４５に登録する処理を実行する。
【００３４】
図６はデータベース２４５のデータ構成図を示す。
【００３５】
データベース２４５は、ＩＤ格納部３１１、緯度情報格納部３１２、経度情報格納部３１３、リファラＵＲＬ情報格納部３１４、ブログＵＲＬ情報格納部３１５、ブログタイトル情報格納部３１６、地図画像ＵＲＬ格納部３１７などから構成されている。
【００３６】
ＩＤ格納部３１１には、地図がリンクされたブログを識別するためのＩＤ情報ＩＤ１〜ＩＤｎが格納されている。緯度情報格納部３１２には、指定したポイントを確定するための緯度情報ＮＳ１〜ＮＳｎが格納されている。経度情報格納部３１３には、指定したポイントを確定するための経度情報ＥＷ１〜ＥＷｎが格納されている。
【００３７】
リファラＵＲＬ情報格納部３１４には、リファラのＵＲＬ情報ＵＲＬ１１〜ＵＲＬ１ｎが格納されている。ブログＵＲＬ情報格納部３１５には、対応するブログのＵＲＬ情報ＵＲＬ２１〜ＵＲＬ２ｎが格納されている。
【００３８】
ブログタイトル情報格納部３１６には、対応するブログのタイトルＴＬ１〜ＴＬｎが格納されている。地図画像ＵＲＬ格納部３１７には、地図画像のＵＲＬ情報ＵＲＬ３１〜ＵＲＬ３ｎが格納されている。データベース２４５を参照することにより、配信する地図情報上にブログにより指定されたポイントを示すことが可能となる。
【００３９】
〔ブログ閲覧ユーザ端末１１５〕
図７はブログ閲覧ユーザ端末１１５のブロック構成図を示す。
【００４０】
ブログ閲覧ユーザ端末１１５は、パーソナルコンピュータ、ＰＤＡ、携帯電話機などから構成されており、通信部２５１、処理部２５２、記憶部２５３、入力装置２５４、表示装置２５５などから構成されている。
【００４１】
通信部２５１は、ネットワーク１１６との通信制御を行なう。処理部２５２は、ＣＰＵ、メモリなどを含み、記憶部２５３にインストールされたブラウザソフトによりブログサイトサーバ１１２、地図配信サーバ１１３などにアクセスして、ブログ、地図情報を閲覧可能とされている。
【００４２】
入力装置２５４は、マウス、キーボードなどから構成されており、処理部２５２に各種閲覧先の指示や情報入力を行なうデバイスである。表示装置２５５は、ＬＣＤなどのＦＰＤやＣＲＴなどから構成されており、ブログ、地図情報が表示される。
【００４３】
〔動作〕
〔ブログ情報登録動作〕
図８は本発明の一実施例のブログ情報登録時のシーケンス図、図９はブログ登録ユーザ端末１１１のブログ作成時の表示画面構成図、図１０はブログ登録ユーザ端末１１１の地図画像選択時の表示画面構成図、図１１はブログ登録ユーザ端末１１１のブログ作成後の表示画面構成図を示す。
【００４４】
ブログ登録ユーザ端末１１１によりステップＳ１−１１でブログ作成処理が行なわれると、ブログ登録ユーザ端末１１１の表示装置２１５には図９に示すようなブログ作成画面４１１が表示される。
【００４５】
ブログ作成画面４１１は、入力部４２１、投稿ボタン４２２などから構成される。入力部４２１には、ブログ記事４３１が入力される。ブログ作成画面４１１で作成されたブログ記事は、投稿ボタン４２２をクリックすることにより、ブログサイトサーバ１１２に送信される。
【００４６】
ブログ登録ユーザ端末１１１はステップＳ１−１２で作成しているブログ記事に地図を貼り付ける操作が行なわれると、ブログ登録ユーザ端末１１１では、ステップＳ１−１３で地図貼付処理が実行される。ブログ登録ユーザ端末１１１は、地図貼付処理で地図配信サーバ１１３から地図画像を取得する。
【００４７】
地図配信サーバ１１３は、ステップＳ１−３１でブログ登録ユーザ端末１１１からの要求により地図画像配信処理を実行して、ブログ登録ユーザ端末１１１に地図画像を送信する。このとき、地図配信サーバ１１３は、ステップＳ１−３２でブログに貼り付けられる地図の位置情報及びＩＤを作成する。また、地図配信サーバ１１３は、ステップＳ１−３３で地図リンク用ＵＲＬを作成し、ブログ登録ユーザ端末１１１に送信する。このとき、ブログ登録ユーザ端末１１１には、図１０に示すような地図配信サイト画面５１１が表示される。
【００４８】
地図配信サイト画面５１１は、地図表示部５２１、ＵＲＬ生成ボタン５２２、地図ＵＲＬ情報表示部５２３から構成されている。
【００４９】
地図表示部５２１には、地図画像５３１が表示される。地図表示部５２１に表示される地図画像５３１は、縮尺が変更可能である。さらに、地図表示部５３１に表示された地図上にマーク５３２が表示可能である。ＵＲＬ生成ボタン５２２がクリックされると、地図配信サーバ１１３で地図ＵＲＬ情報が作成され、送信され、地図ＵＲＬ情報表示部５２３に表示される。
【００５０】
ブログへの地図の貼付けは、地図ＵＲＬ情報表示部５２３に表示された地図ＵＲＬ情報をコピーして、ブログ作成画面４１１の入力部４２１に地図ＵＲＬ情報４３２を貼り付ける操作により実施される。
【００５１】
地図配信サーバ１１３は、ステップＳ１−３４で地図貼付操作が終了すると、ステップＳ１−３５で位置情報登録データベース１１４に位置情報及びＩＤを送信する。位置情報登録データベース１１４は、ステップＳ１−４１で地図配信サーバ１１３から位置情報及びＩＤを受信すると、ステップＳ１−４２で位置情報及びＩＤをデータベース２４５に登録する。
【００５２】
ブログ登録ユーザ端末１１１は、ステップＳ１−１３で地図配信サーバ１１３から地図リンク用ＵＲＬを受信する。ブログに地図を貼り付けるときには、ブログに地図配信サーバ１１３から提供された地図リンク用ＵＲＬを貼り付ける。ブログ登録ユーザ端末１１１はステップＳ１−１４でブログ記事に地図リンク用ＵＲＬが貼り付けられ、ステップＳ１−１５で地図貼付け操作が終了し、ステップＳ１−１６でブログ作成が終了すると、ステップＳ１−１７で作成されたブログ記事をブログサイトサーバ１１２に送信する。
【００５３】
ブログサイトサーバ１１２は、ステップＳ１−２１でブログ登録ユーザ端末１１１からブログ記事を受信すると、ステップＳ１−２２で投稿されたブログのデータをブログデータベース２２５に格納する。
【００５４】
以上により、ブログ登録ユーザ端末１１１による地図情報を含むブログの作成、登録が完了する。
【００５５】
〔ブログ情報閲覧動作〕
図１２は本発明の一実施例のブログ閲覧時のシーケンス図、図１３はブログ閲覧ユーザ端末１１５のブログ閲覧時の表示画面構成図を示す。
【００５６】
閲覧ユーザ端末１１５は、ステップＳ２−１１でブログサイトサーバ１１２に所望のブログ画面を要求し、ブログサイトサーバ１１２がステップＳ２−２１でブログ画面の要求を受信すると、ブログサイトサーバ１１２は要求されたブログ画面を送信する。
【００５７】
閲覧ユーザ端末１１５は、ステップＳ２−１２でブログに地図画像を含む場合に、ステップＳ２−２３で地図画像に埋め込まれた地図ＵＲＬ情報により地図配信サーバ１１３に地図画像を要求する。
【００５８】
地図配信サーバ１１３はステップＳ２−３１で閲覧ユーザ端末１１５から地図画像が要求されると、ステップＳ２−３２で要求された地図画像を閲覧ユーザ端末１１５に送信するとともに、要求に含まれているリファラＵＲＬ情報、すなわち、ブログサイトサーバ１１２のＵＲＬ情報を取得する。地図配信サーバ１１３は、ステップＳ２−３３でクローラを呼び出して、リファラＵＲＬ情報に基づいてブログサイトサーバ１１２にＲＳＳ情報を要求する。
【００５９】
ブログサイトサーバ１１２は、ステップＳ２−２３で地図配信サーバ１１３からＲＳＳ情報を要求されると、ステップＳ２−２４でサイト情報及びＲＳＳ情報を地図配信サーバ１１３に送信する。地図配信サーバ１１３は、ステップＳ２−３４でブログサイトサーバ１１２からサイト情報、及び、ＲＳＳ情報を取得すると、ステップＳ２−３５で取得したＲＳＳ情報から地図画像に対応するブログに関する情報を取得する。なお、ＲＳＳ（RDF Site Summary、Rich Site Summary、Really Simple Syndication）情報は、ブログなど各種のウェブサイトの更新情報を簡単にまとめて配信するための幾つかの文書フォーマットの総称であり、ブログタイトル、ブログＵＲＬ情報、投稿されたブログ記事の文字コードなどが含まれている。
【００６０】
地図配信サーバ１１３は、ステップＳ２−３６でブログに関する情報と位置情報とのマッチングを取り、取得したブログに関する情報を位置情報登録データベース部１１４に送信する。
【００６１】
位置情報登録データベース１１４は、ステップＳ２−４１で地図配信サーバ１１３からブログに関する情報を取得すると、ステップＳ２−４２でデータベース２４５の対応するＩＤ、位置情報のデータとして、リファラＵＲＬ情報、ブログＵＲＬ情報、ブログタイトル、地図画像ＵＲＬ情報などを格納する。これによって、データベース２４５の所定のＩＤ、位置情報のデータが完成する。
【００６２】
なお、ブログ閲覧ユーザ端末１１５は、ステップＳ２−１４で地図配信サーバ１１３から地図画像を取得すると、ステップＳ２−１５で図１３に示すようなブログ画面６１１を表示する。ブログ画面６１１は、ブログ記事表示部６２１及び地図画像表示部６２２から構成されている。ブログ記事表示部６２１には、ブログサイトサーバ１１２から取得したブログ記事が表示される。地図画像表示部６２２には、地図配信サーバ１１３から取得した地図画像６３１が表示される。なお、地図画像６３１には、位置情報登録データベース１１４に登録された経度、緯度情報などの位置情報に基づいてマーク６３２が表示される。
【００６３】
データベース２４５を参照することにより、地図情報からブログを呼び出すことが可能となる。
【００６４】
なお、地図配信サーバ１１３は、位置情報登録データベース１１４のデータベース２４５のデータが更新されてから地図画像を送信するようにしてもよい。
【００６５】
以上により、地図情報にブログをリンクさせることができる。このとき、ブログ登録ユーザ端末１１１では、特別な操作は不要である。
【００６６】
〔地図情報閲覧動作〕
図１４は本発明の一実施例の地図閲覧時のシーケンス図、図１５はブログ閲覧ユーザ端末１１５の地図閲覧時の表示画面構成図を示す。
【００６７】
閲覧ユーザ端末１１５がステップＳ３−１１で地図配信サーバ１１３に地図画像の配信を要求し、地図配信サーバ１１３がステップＳ３−３１で地図画像の要求を受信すると、地図配信サーバ１１３はステップＳ３−３２で位置情報登録データベース部１１４に対して要求された地図画像の範囲に含まれる登録情報を要求する。
【００６８】
位置情報登録データベース部１１４はステップＳ３−４１で地図配信サーバ１１３から登録情報の要求があると、ステップＳ３−４２でデータベース２４５を検索して、地図画像の範囲に含まれる登録情報を読み出し、地図配信サーバ１１３に送信する。
【００６９】
地図配信サーバ１１３はステップＳ３−３３で位置情報登録データベース部１１４から登録情報を受信すると、ステップＳ３−３４で要求された範囲の地図画像と登録情報を送信する。
【００７０】
閲覧ユーザ端末１１５は、ステップＳ３−１２で要求した地図画像及び対応する登録情報を受信すると、ステップＳ３−１３で図１５に示すような地図画面７１１を表示させる。地図画面７１１は、地図画面７２１に地図画像７３１が表示されるとともに、地図画像７３１上の登録情報に含まれる位置情報の位置にマーク７３２が表示された構成とされている。
【００７１】
なお、閲覧ユーザ端末１１５は、ステップＳ３−１４でマーク７３２がクリックされると、ステップＳ３−１５で対応する登録情報に含まれるブログＵＲＬ情報からブログサイトサーバ１１２にブログを要求する。
【００７２】
ブログサイトサーバ１１２は、ステップＳ３−２１で閲覧ユーザ端末１１５からブログが要求されると、ステップＳ３−２２で要求されたブログを閲覧ユーザ端末１１５に送信する。
【００７３】
閲覧ユーザ端末１１５は、ステップＳ３−１６でブログサイトサーバ１１２からブログを受信すると、ステップＳ３−１７で受信したブログを表示する。なお、閲覧ユーザ端末１１５は、ブログ要求時にブログに含まれる地図画像を地図配信サーバ１１３に要求し、地図画像を取得し、表示するようにしてもよい。
【００７４】
〔効果〕
本実施例によれば、ブログをブログサイトサーバ１１２に登録する際にユーザが特別な操作を行なわなくとも、地図情報配信サーバ１１３から配信される電子地図情報からブログサイトサーバ１１２に登録されたブログを参照することが可能となり、地図情報配信サーバ１１３のサービス性を向上させることができる。
【図面の簡単な説明】
【００７５】
【図１】本発明の一実施例のシステム構成図である。
【図２】ログ登録ユーザ端末１１１のブロック構成図である。
【図３】ブログサイトサーバ１１２のブロック構成図である。
【図４】地図配信サーバ１１３のブロック構成図である。
【図５】位置情報登録データベース部１１４のブロック構成図である。
【図６】ブログ閲覧ユーザ端末１１５のブロック構成図である。
【図７】データベース２４４のデータ構成図である。
【図８】本発明の一実施例のブログ情報登録時のシーケンス図である。
【図９】ブログ登録ユーザ端末１１１のブログ作成時の表示画面構成図である。
【図１０】ブログ登録ユーザ端末１１１の地図画像選択時の表示画面構成図である。
【図１１】ブログ登録ユーザ端末１１１のブログ作成後の表示画面構成図である。
【図１２】本発明の一実施例のブログ閲覧時のシーケンス図である。
【図１３】ブログ閲覧ユーザ端末１１５のブログ閲覧時の表示画面構成図である。
【図１４】本発明の一実施例の地図閲覧時のシーケンス図である。
【図１５】ブログ閲覧ユーザ端末１１５の地図閲覧時の表示画面構成図である。
【符号の説明】
【００７６】
１００  情報提供システム
１１１  ブログ登録ユーザ端末、１１２  ブログサイトサーバ
１１３  地図配信サーバ、１１４  位置情報登録データベース部
１１５  ブログ閲覧ユーザ端末、１１６  ネットワーク
【図１】
2007164537.tif 000003
【図２】
2007164537.tif 000004
【図３】
2007164537.tif 000005
【図４】
2007164537.tif 000006
【図５】
2007164537.tif 000007
【図６】
2007164537.tif 000008
【図７】
2007164537.tif 000009
【図８】
2007164537.tif 000010
【図９】
2007164537.tif 000011
【図１０】
2007164537.tif 000012
【図１１】
2007164537.tif 000013
【図１２】
2007164537.tif 000014
【図１３】
2007164537.tif 000015
【図１４】
2007164537.tif 000016
【図１５】
2007164537.tif 000017